(57)【要約】【課題】  不特定多数のユーザが使用する環境下においても、それぞれのユーザの操作履歴に応じた画面を初期段階から表示することができる操作性の良い受付端末装置を提供する。【解決手段】  受付端末装置１０は、操作を開始しようとするユーザを検知すると、無線タグリーダ部１８を作動させてそのユーザの所持品に装備されている無線タグ２２の有無を検知する。無線タグ２２を検知したら、その無線タグ２２からＩＤ情報を読み出し、履歴情報記憶部１９に記録されている情報の中から対応するユーザの操作履歴情報を検索する。該当する操作履歴情報があれば、その情報に基づいて、そのユーザの最終アクセス時（前回操作時）におけるメニュー画面を表示部兼操作部１５に表示する。すなわち、操作履歴情報に基づいてメニューの深い階層まで一気にジャンプする。その結果ユーザは、前回来店時に最後に操作を行ったメニュー画面から操作を開始することができる。ユーザにより新たな操作がなされたら、その新たな操作に関する操作履歴情報をＩＤ情報と対応させて履歴情報記憶部１９に記録する。【選択図】      図１
2005025656.tif 000002
【特許請求の範囲】
【請求項１】
複数階層のメニューを順次辿ることにより、目的の処理の実行を指示するための画面に到達可能に構成した受付端末装置であって、
各種画面を表示する表示手段と、
各ユーザの操作履歴情報をＩＤ情報と対応させて記憶している操作履歴情報記憶手段と、
ユーザの所持品に装備されている無線タグから前記ＩＤ情報を受信するＩＤ情報受信手段と、
前記ＩＤ情報受信手段により受信したＩＤ情報に対応するユーザの操作履歴情報を前記操作履歴情報記憶手段から取得し、当該操作履歴情報に応じた画面を前記表示手段に表示させる制御手段と、
を備えた受付端末装置。
【請求項２】
複数階層のメニューを順次辿ることにより、目的の処理の実行を指示するための画面に到達可能に構成した受付端末装置であって、
各種画面を表示する表示手段と、
ユーザの所持品に装備されている無線タグから前記ＩＤ情報を受信するＩＤ情報受信手段と、
前記ＩＤ情報受信手段により受信したＩＤ情報に対応するユーザの操作履歴情報を外部装置から取得し、当該操作履歴情報に応じた画面を前記表示手段に表示させる制御手段と、
を備えた受付端末装置。
【請求項３】
前記制御手段は、複数の無線タグを検知した場合には、より優先順位の高い無線タグから受信したＩＤ情報に対応するユーザの操作履歴情報を取得する請求項１または２記載の受付端末装置。
【請求項４】
前記制御手段は、前記複数の無線タグに優先順位がない場合には、過去における検知回数がより多い無線タグから受信したＩＤ情報に対応するユーザの操作履歴情報を取得する請求項３記載の受付端末装置。
【請求項５】
可搬記録メディアまたはデジタルカメラから画像データを読み出し、その画像データに基づく画像をプリントする機能またはプリントの注文を受け付ける機能を備えた請求項１〜４のいずれかに記載の受付端末装置。
【請求項６】
前記所持品は、可搬記録メディアまたはデジタルカメラである請求項５記載の受付端末装置。
【発明の詳細な説明】
【技術分野】
【０００１】
本発明は、可搬記録メディアから画像データを読み出し、その画像データに基づく画像をプリントする機能やプリントの注文を受け付ける機能などを備えた受付端末装置に関する。
【背景技術】
【０００２】
コンビニエンスストアなどの店頭に設置されている受付端末装置には、銀行ＡＴＭ（Automatic Teller Machine）としての機能、コンサートや交通機関などの各種チケットの販売や予約を受け付ける機能、音楽データや画像データなど各種デジタルコンテンツのダウンロード機能、ユーザが持ち込んだ可搬記録メディアに記録されている画像のプリント処理機能やプリントの注文を受け付ける機能、等を備えたものがある。
【０００３】
このような多機能受付端末装置を使用してユーザがある処理を行おうとする場合、受付端末装置の初期メニュー画面から希望の処理内容を選択して、処理内容別の新しいメニュー画面を呼び出し、その呼び出したメニュー画面上で更に希望の処理内容を選択するという繰り返し操作を行う必要がある。
【０００４】
たとえば、可搬記録メディアに記録されている画像をプリントしたい場合、ユーザは、初期メニュー画面に表示されている複数の機能の中からプリント機能を選択して、プリント受付メニュー画面に進むとともに可搬記録メディアをメディア挿入口に挿入し、画像選択メニュー画面上でプリントしたい画像を選択し、プリント条件選択メニュー画面上でプリント媒体やプリント枚数を指定し、プリント処理の実行を指示する、といった複数階層のメニューを辿る煩雑な操作を行う必要がある。ユーザは、毎回来店してプリント処理を行おうとするたびに、上記と同様の煩雑な操作を行わなければならない。
【０００５】
この種の問題を解決するべく提案された従来の技術として、ユーザが過去に行った操作に関する履歴情報をメモリに記録しておき、次回のアクセス時には履歴情報に基づいてメニューの深い階層まで一気にジャンプするという技術が知られている。ジャンプ先メニュー画面を選択する方法として、操作履歴を表示しその中からユーザに選択させるものや、履歴情報に基づいて自動選択するものがある。（特許文献１、２及び３参照）
【特許文献１】特開平5-265682号公報
【特許文献２】特開平5-298377号公報
【特許文献３】特開2002-215278号公報
【発明の開示】
【発明が解決しようとする課題】
【０００６】
しかし、上記特許文献に記載された技術は、端末装置を常に同じ人が使用することを前提とした技術であり、コンビニエンスストアなどの店頭に設置されている受付端末装置のように、不特定多数のユーザが使用する端末装置に対しては適用できない。
【０００７】
本発明は、このような従来の技術の問題点に鑑み創案されたものであり、その目的は、不特定多数のユーザが使用する環境下においても、それぞれのユーザの操作履歴に応じた画面を初期段階から表示することができる操作性の良い受付端末装置を提供することにある。
【課題を解決するための手段】
【０００８】
上記目的を達成するために、本発明の受付端末装置は、複数階層のメニューを順次辿ることにより、目的の処理の実行を指示するための画面に到達可能に構成した受付端末装置であって、各種画面を表示する表示手段と、各ユーザの操作履歴情報をＩＤ情報と対応させて記憶している操作履歴情報記憶手段と、ユーザの所持品に装備されている無線タグから前記ＩＤ情報を受信するＩＤ情報受信手段と、前記ＩＤ情報受信手段により受信したＩＤ情報に対応するユーザの操作履歴情報を前記操作履歴情報記憶手段から取得し、当該操作履歴情報に応じた画面を前記表示手段に表示させる制御手段と、を備えたものである。
【０００９】
本発明の別の受付端末装置は、複数階層のメニューを順次辿ることにより、目的の処理の実行を指示するための画面に到達可能に構成した受付端末装置であって、各種画面を表示する表示手段と、ユーザの所持品に装備されている無線タグから前記ＩＤ情報を受信するＩＤ情報受信手段と、前記ＩＤ情報受信手段により受信したＩＤ情報に対応するユーザの操作履歴情報を外部装置から取得し、当該操作履歴情報に応じた画面を前記表示手段に表示させる制御手段と、を備えたものである。
【００１０】
上記のように構成した受付端末装置は、何らかの操作を行うために当該装置に接近したユーザの所持品に装備されている無線タグからＩＤ情報を受信し、そのＩＤ情報に対応するユーザの操作履歴情報に応じた画面を表示する。
【００１１】
したがって、この受付端末装置によれば、不特定多数のユーザが使用する環境下においても、それぞれのユーザの操作履歴に応じた画面を初期段階から表示することができる。
【００１２】
本発明の受付端末装置において、前記制御手段は、複数の無線タグを検知した場合には、より優先順位の高い無線タグから受信したＩＤ情報に対応するユーザの操作履歴情報を前記操作履歴情報記憶手段から取得することが望ましい。
【００１３】
上記のように、より優先順位の高い無線タグから受信したＩＤ情報を使用することにより、ユーザが無線タグの付いている所持品を複数所持している場合でも、そのユーザにとって最も適切なメニュー画面を初期段階から表示できる可能性を高くすることができる。
【００１４】
また、前記制御手段は、前記複数の無線タグに優先順位がない場合には、過去における検知回数がより多い無線タグから受信したＩＤ情報に対応するユーザの操作履歴情報を前記操作履歴情報記憶手段から取得することが望ましい。
【００１５】
上記のように、過去における検知回数がより多い無線タグから受信したＩＤ情報を使用することにより、ユーザが無線タグの付いている所持品を複数所持していて、それらの無線タグに優先順位がない場合でも、そのユーザにとって最も適切なメニュー画面を初期段階から表示できる可能性を高くすることができる。
【００１６】
また、本発明の受付端末装置は、可搬記録メディアまたはデジタルカメラから画像データを読み出し、その画像データに基づく画像をプリントする機能またはプリントの注文を受け付ける機能を備えていることが望ましい。
【００１７】
上記の構成によれば、プリントの実行を指示する操作またはプリントの注文操作を過去に行ったユーザが、次回同様の操作を行おうとする際に、そのユーザの操作履歴情報に応じて、プリントの実行を指示する操作またはプリントの注文操作を行うためのメニュー画面を初期段階から表示することができる。
【００１８】
この場合、前記所持品は、デジタルカメラまたは可搬記録メディアであることが望ましい。
【００１９】
上記の構成によれば、ユーザが所持しているデジタルカメラまたは可搬記録メディアに装備されている無線タグからＩＤ情報を受信し、そのＩＤ情報に対応するユーザの操作履歴情報に応じて、プリントの実行を指示する操作またはプリントの注文操作を行うための画面を初期段階から表示することができる。
【発明の効果】
【００２０】
以上説明したように、本発明の受付端末装置によれば、不特定多数のユーザが使用する環境下においても、それぞれのユーザの操作履歴に応じた画面を初期段階から表示することができる。
【発明を実施するための最良の形態】
【００２１】
以下、本発明の実施の形態について説明する。
【００２２】
図１は本発明にかかる受付端末装置の構成例を示す機能ブロック図である。
【００２３】
この受付端末装置１０は、コンビニエンスストアなどの店頭に設置される多機能受付端末装置であり、ユーザが持ち込んだ可搬記録メディアに記録されている画像データのプリント処理機能やプリントの注文を受け付ける機能、音楽データや画像データなど各種デジタルコンテンツのダウンロード機能、コンサートや交通機関などの各種チケットの販売や予約を受け付ける機能、等を備えている。
【００２４】
受付端末装置１０の構成要素には、制御部１１、ネットワークインタフェース（Ｉ／Ｆ）部１２、メディアインタフェース（Ｉ／Ｆ）部１３、処理対象データ記憶部１４、表示部兼操作部１５、印刷部１６、金銭徴収部１７、無線タグリーダ部１８、および履歴情報記憶部１９が含まれる。
【００２５】
制御部１１は、画像データの受付処理、プリント処理、プリント注文受付処理、デジタルコンテンツ（画像データ、音楽データ）のダウンロード処理、チケット販売処理、チケット予約受付処理、課金処理、ＩＤ情報受信処理、ユーザ認識処理、メニュー画面表示処理を含む受付端末装置１０全体の制御を行うもので、プログラムに従って動作するプロセッサを主体に構成される。
【００２６】
ネットワークＩ／Ｆ部１２は、データ通信ネットワークを介してコンテンツサーバ（図示省略）から音楽データや画像データなど各種デジタルコンテンツをダウンロードしたり、プリントサーバ（図示省略）へプリント注文された画像データを送信したりするための通信インタフェースである。プリントサーバには高性能の印刷装置（図示省略）が接続されており、プリントサーバへ画像データを送信することにより、高品質のプリント処理を実施できるようになっている。
【００２７】
メディアインタフェース部１３は、各種可搬記録メディア（以下、可搬記録メディアを単にメディアと記す）２０に対応したスロット（挿入口）を有し、スロットに挿入されたメディア２０から画像データを読み込んだり、ダウンロードしたデジタルコンテンツをメディアに書き込んだりするためのメディアインタフェースである。デジタルカメラ２１から直接画像データを読み込む場合は、デジタルカメラ２１に接続可能なコネクタを有するケーブルが接続される。
【００２８】
処理対象データ記憶部１４は、メディア２０やデジタルカメラ３０から読み込んだ画像データや、ダウンロードしたデジタルコンテンツを含む各種処理対象データを記憶する記憶装置であり、たとえばハードディスク装置で構成される。
【００２９】
表示部兼操作部１５は、各種操作画面や処理対象画像などをユーザに示すための表示機能と、ユーザが受付端末装置１０に対し各種指示を行うための操作機能（入力機能）とを兼ね備えたユーザインタフェースであり、たとえばタッチセンサ付き液晶表示装置で構成される。上記各種操作画面には、プリント処理、プリント注文受付処理、デジタルコンテンツのダウンロード処理、チケット販売処理、チケット予約受付処理など、受付端末装置１０が有する各種処理機能の中から希望の機能をユーザに選択させるためのメインメニュー画面（機能選択画面）が含まれ、メインメニュー画面上に表示された機能の中から希望する機能を選択する（希望する機能項目が表示されている部分を触る）ことにより、希望する機能別の操作画面に進むことができるようになっている。各機能別の操作画面は、さらに複数階層からなるメニュー画面を含んでおり、メニューを順次辿ることにより、目的の処理の実行を指示するための画面に到達できるようになっている。
【００３０】
印刷部１６は、処理対象データ記憶部１４に記憶された画像データに基づく画像の簡易プリント処理を行うものであり、メディア２０やデジタルカメラに記録されている画像データや、ダウンロードした画像データのプリントを早急に入手したい場合に利用される。
【００３１】
金銭徴収部１７は、投入されたコインまたは紙幣の判別および金額計算を行い、受付端末装置１０の使用に伴う料金の徴収を行うものである。
【００３２】
無線タグリーダ部１８は、ユーザの所持品に装備されている無線タグ２２からＩＤ情報を受信するＩＤ情報受信手段であり、メディアインタフェース部１３の各スロット内および受付端末装置１０の本体前面部（ユーザと対向する部分）に設けられたＲＦ-ＩＤリーダからなる。各スロット内に設けられたＲＦ-ＩＤリーダは、各スロットに挿入されたメディア２０に内蔵されている無線タグ２２と通信し、その無線タグ２２内のメモリに記録されているＩＤ情報を読み出すことができるようになっている。受付端末装置１０の本体前面部に設けられたＲＦ-ＩＤリーダは、ユーザのデジタルカメラ（デジタルカメラ機能を有する携帯電話機等も含む。）３０やストラップ４０（図５参照）などに内蔵されている無線タグ２２と通信し、その無線タグ２２内のメモリに記録されているＩＤ情報を読み出すことができるようになっている。
【００３３】
履歴情報記憶部１９は、各ユーザの操作履歴情報をＩＤ情報と対応させて記憶している記憶装置であり、たとえばハードディスク装置で構成される。
【００３４】
つぎに、図１に示す受付端末装置１０の動作について操作画面表示制御動作を中心に説明する。
【００３５】
図２は受付端末装置１０の動作内容を例示する流れ図である。
【００３６】
受付端末装置１０は、操作を開始しようとするユーザ（操作者）を検知すると（Ｓ１でＹｅｓ）、すなわち表示部兼操作部１５への接触を検知し、あるいは図示しない人センサによって所定範囲内への人の接近を検知すると、無線タグリーダ部１８を作動させてそのユーザの所持品に装備されている無線タグ２２の有無を検知する（Ｓ２）。
【００３７】
無線タグを検知できなければ（Ｓ２でＮｏ）、表示部兼操作部１５にメインメニュー画面（図３（ａ）参照）を表示する（Ｓ３）。この場合ユーザは、メインメニュー画面から操作を開始して、処理内容別のメニュー画面に順次進んでいく従来どおりの操作を行う（Ｓ４）。
【００３８】
無線タグ２２を検知したならば（Ｓ２でＹｅｓ）、その無線タグ２２からＩＤ情報を読み出し（Ｓ６）、履歴情報記憶部１９に記録されている情報の中から、その読み出したＩＤ情報と対応するユーザの操作履歴情報を検索する（Ｓ７）。その結果、履歴情報記憶部１９に該当する操作履歴情報が記録されていなければ（Ｓ８でＮｏ）、ステップＳ３、Ｓ４に進む。この場合、無線タグ２２が検知されているので（Ｓ５でＹｅｓ）、操作履歴情報をステップＳ６で読み出したＩＤ情報と対応させて履歴情報記憶部１９に記録する（Ｓ１１）。
【００３９】
一方、該当する操作履歴情報が記録されていた場合は（Ｓ８でＹｅｓ）、その操作履歴情報に基づいて、そのユーザの最終アクセス時（前回操作時）におけるメニュー画面を表示部兼操作部１５に表示する（Ｓ９）。すなわち、操作履歴情報に基づいてメニューの深い階層まで一気にジャンプする。この場合ユーザは、前回来店時に最後に操作を行ったメニュー画面から操作を開始することができる。
【００４０】
ステップＳ９を経て、ユーザにより新たな操作がなされたならば（Ｓ１０でＹｅｓ）、その新たな操作に関する操作履歴情報をＩＤ情報と対応させて履歴情報記憶部１９に記録する（Ｓ１１  操作履歴情報更新）。
【００４１】
図３は受付端末装置１０におけるメニュー画面の遷移例を示す画面遷移図である。
【００４２】
図３（ａ）はメインメニュー画面を例示している。無線タグ２２が装備されている物をユーザが所持していないか（図２のステップＳ２でＮｏ）、そのユーザの操作履歴情報が記録されていない場合（図２のステップＳ８でＮｏ）、ユーザ検知後の初期画面として、このメインメニュー画面が表示部兼操作部１５に表示される。メインメニュー画面には、「プリント」、「プリント注文」、「ダウンロード」、「チケット」など、複数の項目ボタンが表示される。「プリント」はプリント処理のサブメニュー画面（図３（ｂ））に進むためのボタンであり、「プリント注文」はプリント注文のサブメニュー画面に進むためのボタンである。「ダウンロード」は、各種デジタルコンテンツをダウンロードするサブメニュー画面に進むためのボタンである。「チケット」は、チケットの注文や予約を行うためのサブメニュー画面に進むためのボタンである。
【００４３】
一方、無線タグ２２が装備されている物をユーザが所持しており（図２のステップＳ２でＹｅｓ）、その無線タグ２２のＩＤ情報に対応する操作履歴情報が履歴情報記憶部１９に記録されている場合は（図２のステップＳ８でＹｅｓ）、その操作履歴情報に基づいて、メニューの深い階層まで一気にジャンプする。たとえば、そのユーザが前回、サイズ指定プリントを選択して、簡易プリント（印刷部１６によるプリント）を実施した場合、メディア２０がメディアインタフェース部１３のスロットに挿入された時点で、図３（ｂ）に例示するプリント種選択のためのメニュー画面、および図３（ｃ）に例示するプリント品質選択のためのメニュー画面はスキップし、図３（ｄ）に例示するサイズ指定簡易プリント用メニュー画面を当初から表示する処理が行われる。図３（ｄ）のメニュー画面には、メディア２０に記録されている画像データのサムネイルと、先頭画像の本画像とが表示される。
【００４４】
上記のように、この実施の形態の受付端末装置１０は、何らかの操作を行うために装置１０に接近したユーザの所持品に装備されている無線タグ２２からＩＤ情報を受信し、そのＩＤ情報に対応するユーザの操作履歴情報に応じた画面を表示する。
【００４５】
したがって、この受付端末装置１０によれば、不特定多数のユーザが使用する環境下においても、それぞれのユーザの操作履歴に応じた画面を初期段階から表示することができるので、ユーザは、毎回来店して希望の処理を行おうとするたびに、複数階層のメニューを辿る煩雑な操作を行う必要がない。
【００４６】
図４は受付端末装置１０を操作使用とするユーザが無線タグが装備されている所持品を複数所持している場合における動作内容を例示する流れ図である。ユーザが無線タグが装備されている所持品を複数所持している場合を図５に例示する。図５の例では、デジタルカメラ３０とそのストラップ４０にそれぞれ無線タグ２２（２２-1、２２-2）が内蔵されている。
【００４７】
図４の動作例では、受付端末装置１０は、操作を開始しようとするユーザ（人物）を検知すると（Ｓ２１でＹｅｓ）、無線タグリーダ部１８を作動させてそのユーザの所持品に装備されている無線タグ２２の有無を検知する（Ｓ２２）。
【００４８】
無線タグを検知できなければ（Ｓ２２でＮｏ）、図２のステップＳ３に進み、表示部兼操作部１５にメインメニュー画面を表示する。
【００４９】
無線タグ２２を検知し（Ｓ２２でＹｅｓ）、それが１つの無線タグ２２であるならば（Ｓ２３でＮｏ）、図２のステップＳ６に進むが、それが複数の無線タグ２２であるならば（Ｓ２３でＹｅｓ）、それらの無線タグ２２に優先順位があるか否かを調べる（Ｓ２４）。優先順位は、各無線タグ２２内のメモリにＩＤ情報と共に書き込まれている優先順位情報を基にする場合と、受付端末装置１０が決める場合とがある。受付端末装置１０が優先順位を決める場合、無線タグ２２の種類が受付端末装置１０の機能に合うものを優先する。たとえば受付端末装置１０がプリント注文の専用機であった場合はデジタルカメラを示す属性情報が書き込まれている無線タグ２２を優先する。
【００５０】
優先順位がある場合は（Ｓ２４でＹｅｓ）、その中で最も優先順位の高い無線タグ２２からＩＤ情報を読み出し（Ｓ２５）、履歴情報記憶部１９に記録されている情報の中から、その読み出したＩＤ情報と対応するユーザの操作履歴情報を検索する（Ｓ２６）。その結果、履歴情報記憶部１９に該当する操作履歴情報が記録されていた場合は（Ｓ２７でＹｅｓ）、その操作履歴情報に基づいて、そのユーザの最終アクセス時におけるメニュー画面を表示部兼操作部１５に表示する（Ｓ２８）。
【００５１】
一方、無線タグ２２に優先順位がないか（Ｓ２４でＮｏ）、最も優先順位の高い無線タグ２２から読み出したＩＤ情報に対応する操作履歴情報が記録されていない場合は（Ｓ２７でＮｏ）、過去のアクセス回数（検知回数）がより多い無線タグ２２からＩＤ情報を読み出し（Ｓ２９）、その読み出したＩＤ情報と対応するユーザの操作履歴情報に基づいて、そのユーザの最終アクセス時におけるメニュー画面を表示部兼操作部１５に表示する（Ｓ２８）。
【００５２】
ステップＳ２８を経て、ユーザにより新たな操作がなされたならば（Ｓ３０でＹｅｓ）、その新たな操作に関する操作履歴情報をＩＤ情報と対応させて履歴情報記憶部１９に記録する（Ｓ３１  操作履歴情報更新）。
【００５３】
上記のように、複数の無線タグ２２間に優先順位がある場合には、より優先順位の高い無線タグ２２からＩＤ情報を読み出し、優先順位がない場合には、過去のアクセス回数がより多い無線タグ２２からＩＤ情報を読み出し、その読み出したＩＤ情報と対応するユーザの操作履歴情報に基づいて、そのユーザの最終アクセス時におけるメニュー画面を表示部兼操作部１５に表示することにより、そのユーザが無線タグ２２が装備されている所持品を複数所持している場合でも、そのユーザにとって最も適切なメニュー画面を初期段階から表示できる可能性を高くすることができる。
【００５４】
なお、上記実施の形態において、操作者の所持品に装備されている無線タグ２２から読み出したＩＤ情報と対応するユーザの操作履歴情報が履歴情報記憶部１９に記録されていた場合でも、その操作者がそのＩＤ情報と対応するユーザ本人（前回操作した人）であるとは限らないため、操作者にパスコードの入力を要求し、入力されたパスコードとＩＤ情報とによって本人確認ができた場合のみ、初期段階から最終アクセス時におけるメニュー画面を表示することが望ましい。
【００５５】
また、本人確認ができたなら、そのユーザが過去に入力した住所、電話番号、振込先などの個人データをその操作者の個人データとして受付端末装置１０が自動的に認識することが望ましい。これにより、ユーザが様々な局面で住所、電話番号、振込先などの個人データを繰り返し入力する手間を省くことができる。
【００５６】
たとえば、無線タグ２２が装備されているデジタルカメラ３０やメディア２０を受付端末装置１０に近づけると、最終アクセス時におけるメニュー画面が表示され、プリント注文などの実行内容確認後にパスコードを入力すると、そのユーザの住所、電話番号などが受け取り日時や場所などとともに表示されるようにしておけば、プリント注文などを極めてスピーディーに行うことができる。
【００５７】
また、上記の例では、無線タグ２２がメディア２０やデジタルカメラ３０に内蔵されているが、無線タグ２２はゴマ粒程度の大きさに製造可能なので、粘着シールに保持させてメディア２０やデジタルカメラ３０に貼り付けてもよい。
【００５８】
また、上記の例では、無線タグ２２から読み出したＩＤ情報と対応するユーザの操作履歴情報を受付端末装置１０内の履歴情報記憶部１９に記録されている情報の中から検索するように構成したが、履歴情報記憶部１９の機能を外部装置に持たせ、当該外部装置にネットワーク経由でアクセスするようにしてもよい。
【図面の簡単な説明】
【００５９】
【図１】本発明にかかる受付端末装置の構成例を示す機能ブロック図である。
【図２】図１に示す受付端末装置の動作内容を例示する流れ図である。
【図３】図１に示す受付端末装置におけるメニュー画面の遷移例を示す画面遷移図である。
【図４】図１に示す受付端末装置の別の動作内容を例示する流れ図である。容を例示した流れ図である。
【図５】ユーザの所持品であるデジタルカメラとそのストラップにそれぞれ無線タグが内蔵されている場合を例示した正面図である。
【符号の説明】
【００６０】
１０：受付端末装置
１１：制御部（制御手段）
１３：メディアインタフェース部
１４：処理対象データ記憶部
１５：表示部兼操作部（表示手段）
１６：印刷部
１８：無線タグリーダ部（ＩＤ情報受信手段）
１９：履歴情報記憶部（操作履歴情報記憶手段）
２０：可搬記録メディア
２１：デジタルカメラ
２２、２２-1、２２-2：無線タグ
【図１】
2005025656.tif 000003
【図２】
2005025656.tif 000004
【図３】
2005025656.tif 000005
【図４】
2005025656.tif 000006
【図５】
2005025656.tif 000007